(57)【特許請求の範囲】
【請求項１】
即時脱型方式により成形形成され縦に貫通した第一の土嚢室を有する積みブロックと、この積みブロックと組み合わせて用いられる突出部材とからなる積みブロックシステムであって、
前記積みブロックを布積みで、且つ、上に積む前記ブロックを一段下のブロックより後退した配置で積み上げることにより段状壁面を形成する積みブロックシステムであり、
前記突出部材は、布積みされた際の左右に隣り合う２つの前記ブロックの合わせ目部分にて一段上のブロックの前記第一の土嚢室内に突き出る様に保持されると共に、一段上の前記ブロックが所定の後退位置に位置するときには前記第一の土嚢室の後部に当接し得る当接部を有することを特徴とする積みブロックシステム。
【請求項２】
突出部材が積みブロックに保持された際には、前記突出部材の当接部が前記積みブロックに対する所望の前後位置となる形状に形成された突出部材、
を選択して積みブロックと組み合わせることを特徴とする請求項１記載の積みブロックシステム。
【請求項３】
積みブロックに突出部材の保持部が設けられると共に、前記保持部が前後方向に多段階に設けられることにより前記突出部材が前後位置の選択可能に保持されることを特徴とする請求項１記載の積みブロックシステム。
【請求項４】
突出部材が頭部を有すると共に、この頭部が一段上の積みブロックの第一の土嚢室の下方開口部を塞ぎ得る形状を成し、
且つ前記下方開口部が一段下の積みブロックに塞がれる事なく開放状態となる場合に、前記突出部材が前記下方開口部の開放部分を塞ぐ配置に保持されることを特徴とする請求項１〜３のいずれか記載の積みブロックシステム。
【請求項５】
請求項１〜４のいずれか記載の積みブロックシステムであって、
前記突出部材は、布積みされた際の左右に隣り合う２つのブロックの合わせ目にて前記ブロックとの相対的な前後移動が規制される状態で保持される連結部材を兼ねることを特徴とする積みブロックシステム。
【請求項６】
積みブロックが少なくとも正面壁と側壁とを有し、前記側壁が前記正面壁の両端部よりも横幅中心寄りに形成される事により、前記積みブロック両側には凹部が形成され、
積み上げられた際の左右に隣り合う２つの前記ブロックの合わせ目には左右の前記凹部を向かい合わせて重合されて第二の土嚢室が形成される場合に、
前記第二の土嚢室を形成する正面壁の端面同士の重合面が、積みブロックの左右列に垂直な面以外の面を有することを特徴とする請求項１〜５のいずれか記載の積みブロックシステム。
【請求項７】
積みブロックの正面壁が、横幅中央の膨出部と、この膨出部の両側に前記膨出部より後退して形成された後退部とを有し、前記膨出部の横幅は正面壁全横幅の略半分に形成され、第一の土嚢室は前記膨出部の内方に形成されることを特徴とする請求項１〜５のいずれか記載の積みブロックシステム。
【発明の詳細な説明】
【０００１】
【発明の属する技術分野】
この発明は、山沿い道路の擁壁用ブロックや、河川の護岸用ブロックなどとして用いられる積みブロックの改良に関する。
【０００２】
【従来の技術と発明が解決しようとする課題】
山沿いの道路脇の法面に沿って積み上げられる擁壁用ブロックや河川の護岸（以下、擁壁や護岸などを代表して「擁壁」という。）のために積み上げられる護岸用ブロックは、一般的には積みブロックと呼ばれて提供されている。
【０００３】
このコンクリート成型による積みブロックは、ブロックを横一列に連設配置して成すブロック列を順次上に積み上げてゆくものであり、上に積むブロックが一段下のブロックと横半分ずれた状態の互い違いとなる配置の場合を布積み、或いはレンガ積みと呼んでいる。これに対して、上下のブロックを横にズラさずに、下のブロックの真上にブロックを積む配置の場合を、格子積みと呼んでいる。
【０００４】
積み上げ方の区分には、図１３に示す様に、上に積むブロック２０１を一段下のブロックより後退した配置で積み上げ、段状壁面にする段状式（セットバックともいう）と、図１４に示す様に上に積むブロック２０１を後退させない通常積み式とがある。
【０００５】
ブロックを後退させて上に積み上げる段状式の場合には、後退させる位置を調整する事により、形成させる法面の傾斜の調整が可能となる。
【０００６】
積み上げる際には、所定の後退位置への位置決めを、容易且つ正確に行う必要がある。また積み上げられた積みブロックには擁壁の背面から土に押し出される力が加わるので、前に押し出されない様にする必要がある。
【０００７】
これに対しては、図１５に示す様に、積みブロック２０１の上面２０２と底面２０３に位置決め用の凹凸２０４を形成し、この上下ブロックの凹凸２０４を係止させて位置決めに役立てる場合がある。
また、この様に上面２０２と底面２０３に凹凸２０４を設けると、上のブロック２０１が下のブロック２０１に支えられて、押し出される事を抑制でき、下のブロック２０１は更に下のブロック２０１に支えられると云う関係が擁壁全体に維持され、擁壁の変形や崩れなどの防止になっている。
【０００８】
ただこの様な凹凸２０４のあるブロックを製造する場合、積みブロックの上面２０２と底面２０３が凹凸２０４の形成により平面ではなくなるので、即時脱型方式によるコンクリート成型では以下の理由により適さず、そのため型枠への流し込み方式でなければできない。
【０００９】
即時脱型方式の場合には、スランプの小さい超固練りコンクリートが用いられる。即ち図１６に示す様に、パレット３００に筒状の型枠３０１を載置して、型枠３０１の底をこのパレット３００で塞ぎ、ここにパサパサした超固練りコンクリート４００を山盛りに投入し、上からプレス板３０２で押さえながら振動を加えて型締めし、直ちに脱型してその後に養生させるのである。流動性のないコンクリートであるので、養生前に脱型しても成型されたブロックの形状の崩れる事がなく、１つの型で養生前のブロックを多数脱型できるでコスト的に優れるのである。
この点、流し込み方式であると、流動性のあるコンクリートを用いるので型枠に入れたまま養生しなければならず、１つの型は養生して脱型するまでの間、１つのブロックのみに用いられる事となり、多数の型枠を必要とする点が即時脱型方式と大きく異なる。
【００１０】
以上、２つの方式において、即時脱型式により積みブロックの上面２０２・底面２０３に係止用の凹凸２０４を形成するのは困難であり、流し込み方式でないとならない。その理由は、従来の即時脱型方式により上面２０２・底面２０３に凹凸２０４を形成しようとするなら、パレット３００とプレス板３０２に凹凸の成形型を設けておかなければならないが、その様な形状のパレット３００とプレス板３０２の準備が大変だからである。また別の理由として、従来パレット３００とプレス板３０２は平面に限られていたので、パレット３００と型枠とプレス板３０２とは互いの水平位置を合わせる必要がなかったのであり、水平位置を合わせる様な生産ラインにはなっておらず、よってパレット３００やプレス板３０２に凹凸を設けてもこれらの水平位置を合わす事かできないのである。
特に大きな理由は、流動性のない超固練りコンクリートでは、凹凸の成形型部分にコンクリートが行き渡らないこと、また行き渡らせても、型締めの際には、ブロック本体と凹凸部分とを均等な内圧で型締めでする事ができない等の問題がある。
【００１１】
従って、上記の様な凹凸による方法以外の後退位置決めを、即時脱型方式による積みブロックで実現しようとする場合の１つに、ピンで後退位置の位置決めを行う方法がある。即ち、図１７に示す様に、ブロック２０１にピン穴２１０としての縦穴を設けておき、ブロック２０１を所定の後退位置に位置決めさせた時にこのピン穴２１０が連通する様に設けておくのである。そしてブロック２０１を積む際にはこのピン穴２１０をガイドとして後退位置の位置決めを行い、上下のブロック２０１，２０１にピン２１１を挿すのである。これにより後退位置の位置決めが容易になるのである。
またこのピン２１１により、ブロック２０１が土に押されて次第に前に押し出されることを防ぐ事にも役立っている。
【００１２】
ただ後退の位置決めが凹凸２０４による場合でも、ピン２１１による場合でも、傾斜角度は当初から決まったものであり、同じブロックで現場ごとに任意な傾斜角度を選択する事はできない。
【００１３】
一方、擁壁には良好な景観が求められる傾向にある。従って、単にコンクリートブロックが積み上げられただけのコンクリート色の擁壁は好まれない。そのため植生用ブロックという種類のものが積みブロックには用いられている。これはブロック自体やブロック同士の左右の合わせ目などに土嚢室を設け、ここに胴込土（土嚢室に入れる土のこと）を入れて、各種植物を植生させる事により、擁壁に植物による景観を得ているのである。
【００１４】
この様な植生用ブロックの抱える問題には、土嚢室の胴込土が経年と共に流出などして減ってしまう問題である。土嚢室はその構成により、土嚢室の底部や側面に穴やすき間などがあり、雨水などと共に流出する傾向にあるからである。
【００１５】
また土嚢室は、ブロック自体の他にブロックの合わせ目にも設けられる場合がある。これには以下の背景がある。図１８はブロックを布積みにしたときの図であり、(ａ)が擁壁を正面から見た図であり、(ｂ)がブロック２０１のある１列を平面視した図である。この図１８(ａ)には上下のブロックの側壁２３０が、縦に連なっている様子が示されているが、この様な構造にする理由は、ブロックの自重に耐えられる様にする必要からである。つまりこの側壁は図示した様に、ブロックの両側からブロック横幅の１／４程度づつ中心に寄った構造を必然的に採る事となる。そして、この様にブロック両側の側壁が中心によると、寄った分だけ両側に凹みができ、これが結果的に土嚢室２４１として活用可能になるのである。無論、１ブロックの内方にも土嚢室２４０が設けられている。
この様な合わせ目にできる土嚢室２４１には、合わせ目のすき間が必然的にできるのであるが、このすき間が胴込土の流出の原因となって、経年と共に胴込土が減ってゆくのであり、防ぎたい問題の１つである。
【００１６】
また植生様ブロックには、植生面積を十分に採る事が要請させる。即ち土嚢室の上方開口部分は植物の生え出る部分であるが、この土嚢室の開口が上に積むブロックに覆われる関係にあるので、この上のブロックによる覆いを少なくして、植生空間を確保する必要があるのである。
この点、段状式の積み方であれば、上のブロックが後退して積まれるので、植生空間が得やすいのであるが、十分と云う事ではなく、一層の植生空間が求められているのである。
【００１７】
以上の問題を鑑み、本願発明の解決しようとする課題は、段状式に積む即時脱型による積みブロックであって、同じブロックであっても傾斜角度を変える事ができ、法面に土により押し出されを防ぐ事ができ、更に、左右の合わせ目に形成された土嚢室からの土のもれを抑える事ができ、植生面積が広く採れる積みブロックシステムと積みブロックを提供する事にある。
【００１８】
【課題を解決するための手段と発明の効果】
以上の課題を解決するため、請求項１記載の発明では、即時脱型方式により成形形成され縦に貫通した第一の土嚢室を有する積みブロックと、この積みブロックと組み合わせて用いられる突出部材とからなる積みブロックシステムを提供した。この積みブロックシステムは、積みブロックを布積みで、且つ、上に積むブロックを一段下のブロックより後退した配置で積み上げることにより段状壁面を形成するものである。
そして突出部材は、布積みされた際の左右に隣り合う２つのブロックの合わせ目部分にて一段上のブロックの第一の土嚢室内に突き出る様に保持されると共に、一段上のブロックが所定の後退位置に位置するときには第一の土嚢室の後部に当接し得る当接部を有することを特徴とした。
これにより、上のブロックは、一段下のブロックに保持された突出部材に、ブロックの土嚢室が当接する様に配置する事により、所定の後退位置への配置が容易且つ正確に行う事ができる。よって、現場での施工が容易となり、それだけ工期の短縮が可能となる。また擁壁の傾斜が正確になる。さらに擁壁の背面からの押し出されに抗する事ができる。
【００１９】
請求項２記載の発明では、請求項１記載の発明において、突出部材が積みブロックに保持された際には、前記突出部材の当接部が前記積みブロックに対する所望の前後位置となる形状に形成された突出部材を選択して積みブロックと組み合わせることを特徴とした。
即ち、当接部の位置が異なる突出部材を何種類か準備しておくと、施工時には用いる突出部材を変更するだけで、同じ積みブロックでも段状壁面の傾斜を変える事ができる。
これにより、傾斜の異なる段状壁面を施工する場合であっても、準備する積みブロックの種類は１種類でよく、そのため異なる傾斜の擁壁施工現場ごとに異なる積みブロックを準備する必要がなく、積みブロックの在庫負担が軽減される。また在庫切れなどによる施工の遅れなども回避できる。
【００２０】
請求項３記載の発明では、請求項１記載の発明において、積みブロックに突出部材の保持部が設けられると共に、保持部が前後方向に多段階に設けられることにより突出部材が前後位置の選択可能に保持されることを特徴とした。
これにより、請求項２記載の発明と同様に、同じ積みブロックでも、擁壁の傾斜角度を現場ごとに変えて施工する事ができる。また請求項２記載の発明と異なり、突出部材を何種類もそろえて準備する必要がない。
【００２１】
請求項４記載の発明では、連結部材が、一段上の積みブロックの第一の土嚢室内に位置する頭部を有すると共に、この頭部が前記第一の土嚢室の下方開口部を塞ぎ得る形状を成し、且つ前記下方開口部が一段下の積みブロックに塞がれる事なく開放状態となる場合に、前記連結部材が前記下方開口部の開放部分を塞ぐ配置に保持されることを特徴としている。
ここで「下方開口部が一段下の積みブロックに塞がれる事なく開放状態となる場合」とは、下方開口部の全部が開放された状態でなくともよく、一部の開放された状態でもよい。また「第一の土嚢室の下方開口部を塞ぎ得る形状」とは、下方開口部の全部でなくともよく、一部を塞ぐものでもよい。
ここで第一の土嚢室は、一段下の積みブロックの上に積まれるので、一段上の積みブロックはその第一の土嚢室の下方開口部が、一般には下の積みブロックに塞がれた状態となる。しかし積みブロックの形状や積み方によっては、下方開口部が塞がれる事なく開放状態となる場合があり、この様な場合には胴込土が漏れてしまう事となる。これに対し、本請求項の発明によれば突出部材の頭部により塞がれて土漏れを防ぐ事ができるのである。
【００２２】
請求項５記載の発明では、請求項１〜４のいずれか記載の発明において、突出部材は、布積みされた際の左右に隣り合う２つのブロックの合わせ目にて前記ブロックとの相対的な前後移動が規制される状態で保持される連結部材を兼ねることを特徴とした。
これにより、請求項１〜４記載の発明の、一段上に積み上げる積みブロックの、所定の後退位置への配置が容易且つ正確に行えるなどの作用効果がある。
また左右の積みブロックが連結部材を兼ねる突出部材（以下この段落では、連結部材という）を介して前後移動が規制されて、壁面の変形などを防ぐと共に、壁面の強度を高めるという作用効果を併せ持つ事ができる。
例えば連結部材は、実施例に図面の図５に示す様に直方体をなし、その下面に係止溝が設けられて、外見、略逆U字を成してしているものが例示できる。この連結部材は図示されたように左右に隣り合う２つのブロックの後面端部同士が横一列に並ぶとき、連結部材はその係止溝をこれら両方の後面端部に架かる様にして、上方からの取付操作により積みブロックに保持されるのである。そして図７に示す様な状態となるので、いずれか１つの積みブロックに背面からの突き出し力が加わっても、連結部材により左右の積みブロックを介して前後移動が規制されるのであり、壁面の変形などを防ぐと共に、壁面の強度を高める事ができる。
これによれば、連結部材を介して隣り合うブロックが、擁壁の背面からの押し出されに対して、互いに相手を支えて押し出しへの抵抗が可能となる。
【００２３】
請求項６記載の発明は、それぞれが請求項１〜５の発明における発明である。即ち、積みブロックが少なくとも正面壁と側壁とを有し、前記側壁が前記正面壁の両端部よりも横幅中心寄りに形成される事により、前記積みブロック両側には凹部が形成され、積み上げられた際の左右に隣り合う２つの前記ブロックの合わせ目には左右の前記凹部を向かい合わせて重合されて第二の土嚢室が形成される場合に、前記第二の土嚢室を形成する正面壁の端面同士の重合面が、積みブロックの左右列に垂直な面以外の面を有することを特徴とした。
重合面は第二の土嚢室にできた隙間となるのであり、この重合面の隙間から土嚢室の胴込土が、長年の間には、雨水と共に流出してしまう問題がある。つまり重合面は胴込土の流出する際の流出路となるのであり、この流出路となる重合面が左右列に対する垂直な面であれば流出路は土嚢室から外への最短で直線状となるので流出しやすい状況である。しかし、重合面が左右列に垂直な面以外の面であれば、流出する際の流出路がこのような、「最短で直線状」ではなくなるので、それだけ胴込土の流出抵抗が増し、土嚢室からの胴込土の消失を抑制する事ができる。
特に、第二の土嚢室は一段上の積みブロックの中央に位置し、そのため下の第二の土嚢室が一段上の第一の土嚢室と連通する事となる。その為、第二の土嚢室からの胴込土の流出すると、その分、その上の第一の土嚢室から下の第二の土嚢室に胴込土が流れ落ち、結局、第一の土嚢室と第二の土嚢室の双方とも、胴込土が消失する事のなるのであるが、本発明は、この様なことを要請する事ができるのである。
【００２４】
請求項７記載の発明は、それぞれが請求項１〜５の発明における発明である。即ち、積みブロックの正面壁が、横幅中央の膨出部と、この膨出部の両側に前記膨出部より後退して形成された後退部とを有し、前記膨出部の横幅は正面壁全横幅の略半分に形成され、第一の土嚢室は前記膨出部の内方に形成されることを特徴とした。
これにより左右に隣り合う積みブロックは、その合わせ目に左右の後退部が合わさった奥行き部が形成される。一方、積みブロックの合わせ目は一段下の積みブロックの略中央に位置する膨出部の真上となるのであり、しかもこの膨出部内には第一の土嚢室が形成されているのである。言い換えれば第一の土嚢室の真上には上のブロックの合わせ目があるのであり、しかもこの合わせ目に奥行き部が位置しているのである。要するに、下のブロックの第一の土嚢室の上には奥行き部による空間が確保されるのであり、これが植物の生長する空間を確保する事となるのである。
しかも、膨出部の横幅が正面壁全横幅の略半分に形成されているので、奥行き部の横幅も残りの略半分となるのである。従って第一の土嚢室の横幅と、その上に位置する奥行き部の横幅とが近似するのであり、よって第一の土嚢室の上の空間である植生空間がもっとも広く採る事が可能となるのである。
【００２５】
【発明の実施の形態】
次に、本願発明の実施例の積みブロックシステムを説明する。
この積みブロックシステムは、即時脱型方式により成形形成され縦に貫通した第一の土嚢室を有する積みブロックと、この積みブロックと組み合わせて用いられる突出部材とからなるものである。積みブロックは布積みで、且つ、上に積むブロックを一段下のブロックより後退した配置で積み上げることにより段状壁面を形成する積みブロックシステムである。
【００２６】
（実施例１）；積みブロック１は、図１、図２に示す様に正面壁１０と後面壁２０とこれらの壁を前後に繋ぐ左右の側壁３０，３０とからなり、中央にはこれらの壁に囲まれて縦に貫通した第一の土嚢室４０が形成されている。また即時脱型により成形されるので、横切りした断面はすべて同じ形状になる。
【００２７】
正面壁１０は、その横幅中央付近で前面に膨出した形状の膨出部１１と、この膨出部１１の両側に膨出部１１より後退して形成された後退部１２，１２とを有している。そして、膨出部１１の横幅Ｌ11は正面壁の横幅長の略半分に形成され、第一の土嚢室４０はこの膨出部の内方に形成される。膨出部１１の表面は化粧石を埋め込んだ化粧面１３になっている。正面壁１０の左右の端部１４，１４（後退部１２の端部１４でもある）は、その端面１５が平面視略Ｓ字形に形成されていて、これらＳ字形は、積みブロック１を並べたときには、左右に隣り合う積みブロック１，１の端部１４，１４が、図３に示す様に同一形状にて重合できる形状になっている。
後面壁２０は、その横幅中央付近で後方に膨出し、その両側に中央部分より前進した位置に形成された後面端部２４，２４とを有している。
側壁３０，３０は、正面壁１０と後面壁２０を繋ぐ状態で左右に２つ設けられているが、その際には正面壁１０の両端部１４，１４よりも、壁芯で正面壁横幅Ｌの１／４の長さだけ中心寄りに形成されている。
なお後面壁２０の横幅は、正面壁１０の横幅Ｌより短くなっており（図３の隙間Ｋ参照）、これにより擁壁が横方向に緩く凸カーブして形成される場合であっても、図４に示す様に隣り合う積みブロックをこの凸カーブに従って並べる事ができる。
【００２８】
また上述した様に、側壁３０は、正面壁１０の横幅中心寄りに形成されているが、この結果、積みブロック両側には、正面壁１０の端部１４と、後面壁２０の端部２４と、側壁３０とに囲まれた凹部３１が形成される。そして積みブロックを左右に並べたときには、左右の積みブロックのこの凹部３１，３１が向かい合わせて重合されて、第二の土嚢室４１が形成される。
更に、第二の土嚢室４１を形成する正面壁１０の端面１５は平面視略Ｓ字に形成されているが、その結果図３に示す様に、この端面同士１５，１５を重合させた重合面１６は、積みブロックの左右列に垂直な面以外の面を有する。
【００２９】
また突出部材２は、布積みされた際の左右に隣り合う２つのブロックの合わせ目部分にて保持されるためのものである。この突出部材２はコンクリート製であり、その形状は図５に示す様に直方体をなし、その下面に係止溝１００が設けられて、外見、略逆U字を成してしている。係止溝１００は積みブロックの後面端部の厚み幅Ｗ（前後幅）とよりやや広い溝幅Ｗ100に形成されている。そして積み上げられた際の左右に隣り合う２つのブロックの合わせ目にて、隣り合う後面端部２４，２４同士が、図５に示した様に横一列に並ぶのである。この様な場面において、突出部材２はその係止溝１００をこれら両方の後面端部２４，２４に架かる様にして嵌め、このような上方からの取付操作により積みブロック１に保持されるのである。
【００３０】
この積みブロック１は、横断面が同じ形状であるため、即時脱型にて成形形成することが容易に行える。
【００３１】
次に、本実施例の用い方を説明する。
この積みブロック１を図５に示した様に横方向に一段積み、積みブロック１の合わせ目の後面端部２４，２４同士に突出部材２を嵌めて取り付ける。嵌められた突出部材２は積みブロック１の合わせ目にて積みブロック１の上面１ａから突き出た状態となる。
【００３２】
各積みブロック１の第一の土嚢室４０に胴込土を詰める。また積みブロックの合わせ目には、第二の土嚢室４１が形成されるがこれにも胴込土を詰める。
【００３３】
次に、この積みブロック列の一段上に布積みで積みブロック１を積み、その時に、下の列の積みブロックに保持されている突出部材２が、上の列の積みブロック１の第一の土嚢室４０内に突き出る様にして仮載置する（図３の符号２参照）。そして仮載置された積みブロック１を前方に移動させ、第一の土嚢室４０の後部の内面４０ａが、この第一の土嚢室内に突き出ている突出部材２の後端１０１（当接部１０１）に当接するまで移動させる事により、上の列の積みブロック１は、下の列の積みブロック１に対して所定の後退位置に正確に位置合わせさせる事ができる。
【００３４】
この様にして上の積みブロック１を積んだら、下の積みブロック１と同様に、突出部材２を取り付け、第一の土嚢室４０と第二の土嚢室４１に胴込土を詰める。そして、更に一段上に積みブロック１を積み、以後、同様の作業を繰り返す事により、図６、図７に示す様に擁壁などの段状壁面を形成する事ができる。なお突出部材は図８に示す様に前後に長く形成し、上に積む積みブロックの後面壁を受ける受け部を設けたものを用いてもよく、図６に示した符号２Ａに示す様な用い方となる。
【００３５】
この積みブロックシステムによる擁壁は、各積みブロック１の後退位置が突出部材２の存在により、正確になるので、擁壁の傾斜角度も正確になる。また積み上げ作業の時には、所望の後退位置への位置あわせが容易であり、作業の効率化に寄与する。
【００３６】
また突出部材は、その後端の当接部１０１が、下の積みブロックに対して、より後方位置となるのものや、より前方位置となるものなど所望の前後位置となる形状のものを各種準備しておくことにより、この中から、所望の傾斜角度の対応する所望の前後位置となる突出部材を選択して積みブロックと組み合わせて形成すれば、積みブロックは同じものであっても、所望の傾斜角度の段状壁面を形成する事ができる。これにより、傾斜角度ごとに異なる積みブロックを準備しなくてよい。
例えば図５に示した様な突出部材２あれば図６に示した様な、比較的急な傾斜の段状壁面となり、図９に示す様な、当接部１０１が係止溝１００より大きく後退して設けられている突出部材２Ｂあれば、図１０に示す様な、比較的緩い傾斜の段状壁面となるのである。
【００３７】
なお、第二の土嚢室４１を形成する正面壁１０の端面１５，１５同士の重合面１６が、平面視略Ｓ字形になるので、第二の土嚢室４１からの胴込土の流出路が最短ではなくなり、また直線的でなくＳ字に蛇行しているので、これらが相俟って流出抵抗が増し、よって胴込土の流出が抑制される。
なお、端面１５の形状は上記Ｓ字形状に限らず、どの様な形状でもよい。
【００３８】
また膨出部１１の横幅は、正面壁１０の全横幅Ｌの略半分に形成されているが、これにより左右に隣り合う積みブロック１は、その合わせ目に左右の１１２，１２後退部が合わさった奥行き部１７が形成されている。一方、積みブロックの合わせ目は一段下の積みブロックの略中央に位置する膨出部の真上となるのであり、しかもこの膨出部内には第一の土嚢室４０が形成されているのである。言い換えれば第一の土嚢室４０の真上には、図３、図７に示す様に上のブロックの奥行き部１７による空間が確保されるのであり、これが植物の生長する空間を確保する事となるのである。
しかも、膨出部１１の横幅が正面壁全横幅Ｌの略半分に形成されているので、奥行き部の横幅も残りの略半分となるのである。従って第一の土嚢室４０の横幅と、その上に位置する奥行き部の横幅とが近似するのであり、よって第一の土嚢室の上の空間である植生空間がもっとも広く採る事が可能となるのである。なお図７に示されている様に、奥行き部の両側の平面視形状（図７の符号Ｘ）と、第一の土嚢室正面側の両側の平面視形状（図７の符号Ｙ）が重なる様な形状に形成されて、植生空間が広く採る事ができる。これも膨出部１１の横幅が正面壁全横幅Ｌの略半分に形成されているから可能となるのである。
【００３９】
（実施例２）；この実施例の積みブロック１は、図１１に示す様に全体の平面形状が略方形であり、正面壁１０が、横幅中央の膨出部１１と、この膨出部１１の両側に前記膨出部１１より後退して形成された後退部１２，１２とを有している。ただ後退部１２は実施例１の後退部と形状が異なり、正面壁１０の両隅を深く切り欠いた様な形状になっている。膨出部１１の横幅Ｌ11は正面壁全横幅Ｌの略半分に形成され、第一の土嚢室４０が膨出部１１の内方に形成される点は、実施例１と同様である。
積みブロック１の左右の側壁３０には縦溝３２が凹設されており、積みブロックを横に並べると、図１２に示す様にこの縦溝３２が重合されていた縦穴３２Ａが、突出部材２を挿入する保持部として形成される。
【００４０】
突出部材２はコンクリート製であり、図１２中に示されている様に、保持部の縦穴３２Ａに挿入する為にこの縦穴３２Ａの雌型状に形成された角棒部１１０と、この角棒部１１０の頂部に形成されて角棒部１１０に直角な頭部１１１とから成り、概ね、逆Ｌ字型を成している。
【００４１】
この頭部１１１は、保持された時には前方方向に延びる様な形状であり、平面視長方形を成していて、前後方向の長さが第一の土嚢室４０の前後方向の長さとほぼ同じ長さに形成されている。その為、この頭部１１１が第一の土嚢室４０内に突き出ると、この第一の土嚢室４０の下方開口部の一部を塞ぐ事ができる。この様な頭部１１１は、保持されたときにはこの頭部１１１の前方が、図１２に示されている様に、左右の積みブロックの合わせ目に形成された平面視ほぼＶ字型の奥行き部１７にせり出すような配置になる様になっている。
【００４２】
請求項３に記載された「多段階に設けられる保持部」は、例えば、保持部としての縦穴３２Ａを側壁３０の正面側から後面側にかけて何本か設けておき、これらの中の所望の縦穴に突出部材２を挿す様にしてもよい。
【００４３】
この積みブロック１の用い方であるが、まず積みブロック１を横一列に積み、突出部材２を縦穴３２Ａの保持部に挿入して保持させる。次に第一の土嚢室４０に胴込土を詰めたら、その上に積みブロック１を布積みで積むのである。この時、実施例１同様に、突出部材２が、上の段の第一の土嚢室４０内に突き出る位置となるように上の積みブロック１を仮載置するのである。そして、第一の土嚢室４０の内面後部が突出部材の後端（当接部１０１）に当たる様に位置決めする事により、上の列の積みブロックは、下の列の積みブロックに対して所定の後退位置と成るのである。
【００４４】
また積みブロックは、その合わせ目に左右の後退部が合わさった奥行き部１７が形成され、第一の土嚢室４０の真上には上の列のブロックの奥行き部１７が位置している点は実施例１と同様であり、つまり植物の生長する空間を確保する事となるのである。
【００４５】
ただ積みブロックが積まれると、この積みブロックの第一の土嚢室の下方開口部は、その前方の一部分が奥行き部にせり出した状態となっていて、つまり下方開口部の一部が、一段下の積みブロックに塞がれる事なく開放状態となる。この様な場合には一般には胴込土が漏れてしまう事となる。しかしこの実施例では、この開放状態の下方開口部分を突出部材の頭部により塞ぐ事ができ、よって土漏れを防ぐ事ができるのである。
【００４６】
また膨出部１１の横幅が正面壁全横幅の略半分に形成されている事により、奥行き部１７の横幅も残りの略半分となる点も実施例１と同様であり、従って第一の土嚢室４０の横幅と、その上に位置する奥行き部の横幅とが近似して、第一の土嚢室の上の空間である植生空間がもっとも広く採る事が可能となるのである。
【００４７】
なお本願発明は上記２つの実施例に限るものではなく、発明の趣旨の範囲でどの様に実施されてもよい。
【図面の簡単な説明】
【図１】  この図は、実施例１に示した積みブロックの斜視図である。
【図２】  この図は、積みブロックの平面図である。
【図３】  この図は、積みブロックを上下２列に積んだときの平面視した図である。
【図４】  この図は、積みブロックを左右に並べた時に、左右列が直線状となる配置ではなく、擁壁面が凸にカーブするような凸カーブの列となるようになる並べ方を示した図である。
【図５】  この図は、積みブロックと突出部材の関わり方を説明する図である。
【図６】  この図は、積みブロックと突出部材の関わり方を説明する図である。
【図７】  この図は、擁壁の説明図である。
【図８】  この図は、突出部材の図である。
【図９】  この図も、突出部材の図である。
【図１０】  この図は、擁壁の説明図である。
【図１１】  この図は、実施例２に示した積みブロックの斜視図である。
【図１２】  この図は、積みブロックと突出部材の関わり方を説明する図である。
【図１３】  この図は、段状式擁壁の説明図である。
【図１４】  この図は、通常積み式式擁壁の説明図である。
【図１５】  この図は、従来の積みブロックの説明図である。
【図１６】  この図は、従来の積みブロックの製造方法の説明図である。
【図１７】  この図は、別の従来の積みブロックの説明図である。
【図１８】  この図は、布積みにした積みブロックの側壁が縦に連なる様子の説明図である。
【符号の説明】
１  積みブロック
２、２Ａ、２Ｂ  突出部材
１０  正面壁
１１  膨出部
１２  後退部
１４  端部
１５  端面
１７  奥行き部
２０  後面壁
２４  後面端部
３０  側壁
３１  凹部
４０  第一の土嚢室
４１  第二の土嚢室
１０１  当接部
【図１】
0003843412.tif 000002
【図２】
0003843412.tif 000003
【図３】
0003843412.tif 000004
【図４】
0003843412.tif 000005
【図５】
0003843412.tif 000006
【図６】
0003843412.tif 000007
【図７】
0003843412.tif 000008
【図８】
0003843412.tif 000009
【図９】
0003843412.tif 000010
【図１０】
0003843412.tif 000011
【図１１】
0003843412.tif 000012
【図１２】
0003843412.tif 000013
【図１３】
0003843412.tif 000014
【図１４】
0003843412.tif 000015
【図１５】
0003843412.tif 000016
【図１６】
0003843412.tif 000017
【図１７】
0003843412.tif 000018
【図１８】
0003843412.tif 000019